(57)【特許請求の範囲】
【請求項１】
導管形状の内側空洞（１０）を備えた管形状のハンドル（６）と、
前記ハンドル（６）の幅広い部分に整列して、中間に穴があけられた三角形状のスコップのように広がる幅広部品（７）と、
前記幅広部品（７）の最も幅広の端部に取り付けられた平坦で凹状で中空の平板形状のアトリウム（２３）と、
前記ハンドル（６）と、前記幅広部品（７）と、前記アトリウム（２３）と、を含む背面部品（３）と、
を有する肛門鏡であって、
一方の端部が開き他方の端部が閉じた前面部品（２）であって、前記背面部品（３）に挿入されることで係止可能であり、係止されるときは肛門管内で、係止が解除されるときは当該背面部品（３）内で、当該背面部品（３）と共に半径方向に３６０度回転することで巾着縫合を許容する、前面部品（２）と、
肛門管内にある前記背面部品（３）上の延長部（１７）であって、前記前面部品（２）から分離されることで金床が配置されることを可能にする延長部（１７）と、
前記前面部品（２）の外側表面上をスライドさせることで開閉可能なスライド蓋（５）と、
前記肛門鏡（１）が直腸内に入る距離と前記蓋（５）の開放の程度の測定を可能にする目盛り線を備えた本体（１４）と、
前記蓋（５）をスライドさせて開放することで前記前面部品（２）上に形成される窓部（１１）であって、当該前面部品（２）内に垂れ下っている直腸粘膜を縫合することを容易にする窓部（１１）と、
前記窓部（１１）のスペースを通じて外科的領域の照明及び視認を許容するハンドル（６）であって、前記空洞（１０）内に置かれた腹腔鏡の助けで手術の録画を可能にするハンドル（６）と、
前記蓋（５）の内側表面上の爪形状の突起部（１２）であって、当該蓋の開閉を許容して前記前面部品（２）から完全に分離されることを可能にする把持可能な突起部（１２）と、
前記前面部品（２）の前方にある丸い幾何形状の円錐形状のノズル（４）であって、前記肛門鏡（１）が肛門管に入ることを容易にすることで前記外科的領域の炎症を防ぐノズル（４）と、
前記前面部品（２）の背後の柱（２１）及びコンソール（２２）であって、前記背面部品（３）内で当該前面部品（２）の回転を許容し、痔核の縫合結紮を可能にする柱（２１）及びコンソール（２２）と、
前記アトリウム（２３）上の爪形状のソケット（８）と、
前記前面部品（２）上に配置された舌部（９）であって、前記ソケット（８）内に挿入されることで当該前面部品（２）を前記背面部品（３）内に係止されることを可能にする舌部（９）と、
を有する肛門鏡。
【請求項２】
請求項１に記載の肛門鏡（１）において、
肛門管に向いていて、前記前面部品（２）を通ることで前記アトリウム（２３）内に形成される円の高さから始まる円筒形状の延長部（１７）を有する肛門鏡（１）。
【請求項３】
請求項１又は２に記載の肛門鏡（１）において、
前記アトリウム（２３）上に配置されて前記背面部品（３）が肛門管内で回転するのを許容するハンドル形状の握り（２４）を有する肛門鏡（１）。
【請求項４】
請求項１乃至３のいずれか１項に記載の肛門鏡（１）において、
前記ハンドル（６）の端部分を閉鎖して前記空洞（１０）内で腹腔鏡又は類似する撮像及び照明機器の隔離を可能にするシャッター（２５）を有する肛門鏡（１）。
【請求項５】
請求項１乃至４のいずれか１項に記載の肛門鏡（１）において、
前記ハンドル（６）上に配置された接続要素（１３）であって、前記空洞（１０）内に置かれた腹腔鏡又は類似する撮像及び照明器具を当該ハンドル（６）の内側表面に取り付けることを可能にする接続要素（１３）を有する肛門鏡（１）。
【請求項６】
請求項１乃至５のいずれか１項に記載の肛門鏡（１）において、
前記幅広部品（７）及び前記前面部品（２）を通って前記ハンドル（６）の先端で回転することで開放可能な透明なキャップ（１８）であって、当該ハンドル（６）内にペン型ランプや腹腔鏡を配置した後に閉じられるキャップ（１８）を有する肛門鏡（１）。
【請求項７】
請求項１乃至６のいずれか１項に記載の肛門鏡（１）において、
前記前面部品（２）上に配置された当該前面部品の突出状のスライド線（１９）であって、前記蓋（５）を前へ押し出すことでスライドを可能にするスライド線（１９）を有する肛門鏡（１）。
【請求項８】
請求項１乃至７のいずれか１項に記載の肛門鏡（１）において、
前記蓋（５）の端の上に配置されてスライド軸に平行な当該蓋の凹んだ形状のスライド線（２０）であって、当該前面部品のスライド線（１９）と互換性を有するやり方で当該蓋（５）を前へ押し出すことで前記前面部品（２）内でスライドを可能にするスライド線（２０）を有する肛門鏡（１）。
【請求項９】
請求項１乃至８のいずれか１項に記載の肛門鏡（１）において、
前記前面部品（２）が除去された後に前記肛門管内にある吻合器の金床を通すことを許容する幅を備えた延長部（１７）を有する肛門鏡（１）。
【請求項１０】
請求項１乃至９のいずれか１項に記載の肛門鏡（１）において、
前記アトリウム（２３）上に配置された前記ソケット（８）内に前記舌部（９）を挿入することで前記背面部品（３）に係止可能な前面部品（２）であって、当該背面部品（３）が前記肛門管内に安定的にある間に係止解除されたとき回転動作によって巾着縫合を可能にする前面部品（２）を有する肛門鏡（１）。
【発明の詳細な説明】
【技術分野】
【０００１】
本発明は、痔核の外科処置に使用される肛門鏡に関連する。
【背景技術】
【０００２】
現在の技術水準は、痔核の外科処置に使用される肛門鏡を含む。肛門鏡は、先端部分が円錐形状になった円筒状の器具である。肛門鏡は、先端の円錐形状が肛門管を拡大し肛門を通って直腸に挿入され、特定の距離まで直腸内を進められる。体外に残された肛門鏡の一部であるハンドルは、肛門鏡を直腸の中で３６０度回転させるのに使用される。
【０００３】
技術水準では、ハンドルの中に光源を挿入することができる空洞を有する肛門鏡がある。その結果、肛門鏡の内側部分は、より視認できる。そのような肛門鏡は、欧州特許出願ＥＰ１１８３９９１の主題である。
【０００４】
外科的診療行為のための器具を挿入するに足りるだけの充分に大きい穴径を有する肛門鏡は、上記の欧州特許出願ＥＰ１１８３９９１、米国特許出願ＵＳ２００６００３６１２９とＵＳ２００３０１３０５５９、及び、日本特許公開公報２００３−２３５７９９の主題である。
【０００５】
国際特許出願ＷＯ２００４０６４６２４で言及される肛門鏡の穴径は小さいが、肛門鏡の先端付近に設けられている窓部を通して痔核の血管を結紮することが可能である。
【０００６】
技術水準では、米国特許出願ＵＳ６１４２９３３で言及されているように、所定の直径を有する空洞が形成された肛門鏡がある。このような肛門鏡には、上側部分が完全に開いているものもある。一方、米国特許出願ＵＳ２００６０００９７９７にて言及されているように、縦方向に広い細長い隙間が形成された肛門鏡もある。この細長い隙間に適合する痔核は、外科的に取り除くことができる。
【０００７】
米国特許出願ＵＳ５６８１２６５で言及された肛門鏡類似の円筒形状の肛門の開創鉤は、可変の内径を有する空洞を備えている。しかし、光源はハンドル内に挿入できない。更に、吻合を伴う痔核固定術の手順の実行では、このような開創鉤を使うことができない。米国特許出願ＵＳ６１４２９３３で言及された肛門鏡は、一定の穴径を有し、先端が開いている。そして、巾着縫合の直腸への適用が計画されてきた。しかしながら、この開いている先端から垂れ下がる痔核が視界を遮る結果、巾着縫合を直腸に施すことを困難にしている。
【０００８】
技術の現在の適用において、外科的診療行為は、小さい内径を有する肛門鏡を使用して実行することができない。縫合は、国際特許出願ＷＯ２００４０６４６２４で言及された肛門鏡の先端に設けられた窓部を通して可能であるが、この肛門鏡は、痔核の外科的摘出、巾着縫合の直腸への適用、及び、吻合を伴う痔核固定術には使用され得ない。
【０００９】
【特許文献１】欧州特許出願番号ＥＰ１１８３９９１
【特許文献２】米国特許出願ＵＳ２００６００３６１２９
【特許文献３】米国特許出願ＵＳ２００３０１３０５５９
【特許文献４】日本特許公開公報２００３−２３５７９９号
【特許文献５】国際特許出願ＷＯ２００４０６４６２４
【特許文献６】米国特許出願ＵＳ６１４２９３３
【特許文献７】米国特許出願ＵＳ２００６０００９７９７
【特許文献８】米国特許出願ＵＳ５６８１２６５
【発明の開示】
【発明が解決しようとする課題】
【００１０】
現在の技術水準における肛門鏡のいずれも、腹腔鏡の挿入に適していないし、それらのいずれも、肛門鏡の開いている先端を覆う調整可能なスライド蓋を有していない。その上、上記の肛門鏡は、吻合線の管理に使用できないし、必要に応じた外科的診療行為にも使用できない。
【００１１】
（発明の簡潔な説明）
本発明の１つの目的は、巾着縫合を直腸粘膜に適用できるスライド蓋を備えた調整可能な開口部を有し、ハンドル内に腹腔鏡を保持でき、吻合を伴う痔核固定術を実行できる肛門鏡を造ることである。
【００１２】
本発明の他の目的は、痔核が視界を遮らず、巾着縫合の適用を複雑にしないように、調整可能なスライド蓋で痔核が垂れ下がるのを防ぐ肛門鏡を造ることである。
【００１３】
本発明の他の目的は、直腸内において外科的な診療行為を行うために、距離が測定できる目盛りをその上に有する肛門鏡を造ることである。
【００１４】
本発明の他の目的は、視界を確保して場面を記録できるように、ハンドル内へ腹腔鏡を挿入させることができる肛門鏡を造ることである。
【００１５】
本発明の他の目的は、無菌で使い捨てでき、その結果、衛生的な肛門鏡を造ることである。
【００１６】
本発明の他の目的は、吻合線を管理でき、必要に応じて外科的診療行為ができる肛門鏡を造ることである。
【００１７】
本発明の他の目的は、容易に組み立てられ、或いは、分離できる複数の部品を有する肛門鏡を造ることである。
【００１８】
本発明の更なる目的は、スライド蓋が分離されるときに古典的な方法で痔核を外科的に摘出できる肛門鏡を造ることである。
【発明を実施するための最良の形態】
【００１９】
本発明の目的を達成するために造られた肛門鏡は、添付の図面に示される。
【００２０】
本実施形態にかかる肛門鏡（１）は、最も基本的な形式において、ハンドル（６）と、幅広部品（７）と、幅広部品（７）の内側のアトリウム（２３）と、ソケット（８）と、筒状の延長部（１７）と、腹腔鏡のような付加的な器具が通過できる充分な空洞（１０）を備えたハンドル（６）を保持する背面部品（３）と、縞模様の本体（１４）と、ノズル（４）と、スライド蓋（５）と、蓋（５）の内部の表面的な突出部（１２）、及び、背面部品（３）に対応する位置に舌部（９）を備えた前面部品（２）とを有して構成される。
【００２１】
本実施形態にかかる肛門鏡（１）は、先端が狭まった円錐形状のノズル（４）を備えた前面部品（２）を有する。スライド蓋（５）は、前面部品（２）の上面に配置される。スライド蓋（５）が閉じられるとき、スライド蓋（５）の前面先端部（１６）は前面部品（２）の前方境界部（１５）に隣接するので（図６）、前面部品（２）の上方部分は完全に閉じられる。蓋（５）は、外科的処置の類型に必要とされる程度まで開けることができるか、或いは、前面部品（２）から完全に分離されることができる（図１、２）。前面部品（２）の構造と一致した蓋（５）は突出しており、蓋のスライド線（２０）は前面部品（２）上の蓋（５）の動きを確実にしている。スライド線（１９、２０）の箇所で前面部品（２）の縁と蓋（５）との間は織り合わさった関係なので、蓋（５）は肛門鏡（１）から外れ落ちたり、或いは、肛門鏡（１）の中に落ち込むことはない（図１、２）。本発明の一実施形態では、凹みが蓋（５）にあるとき（２０）、突出状の外観（１９）が前面部品（２）に現れる。発明の別の実施形態では、凹み（１９）が前面部品（２）にあるとき、突出状の外観（２０）が蓋（５）に現れる。このように、蓋（５）と前面部品（２）と完全に調和が取れており、一方が他方の上を滑ることでそれらは動く。突出部（１２）は、スライド蓋（５）の内側の側面に存在する。突出部（１２）は、蓋の取り扱いとその動き（５）とを容易にする（図１、２、７）。突出部（１２）は、幅広部品（７）に近い突出した部分の内側表面に配置されることが望ましい。
【００２２】
肛門鏡（１）の背面部品（３）は、管形状を有する終端のハンドル（６）と、中間部分で前面部品（２）に結合する幅広部品（７）とを有して構成される。ハンドル（６）の内側には空洞（１０）がある。ハンドル（６）は、直径を変えることなく、或いは、直径を少しだけ変えて、幅広部品（７）に対向する位置に末尾を有している。ハンドル（６）の幅広部分と同じ点で始まる幅広部品（７）は、三角形状に広がり、アトリウム（２３）に結合している。アトリウム（２３）は、中空板に似た、平らで凹面の構造物である。筒状の延長部（１７）は、前面部品（２）を通りそれを完全に取り囲むアトリウム（２３）によって形成される円と同じ高さにある。幅広部品（７）は、中間に穴があけられたスコップのような前面部品（２）の上に置かれる。前面部品（２）の内側部品と、前面部品（２）に結合する背面部品（３）の幅広部品（７）とは、ハンドル（６）の空洞に似た空洞（１０１）を有している。しかし、前面部品（２）の空洞（１０１）は、ノズル（４）で終了している。前面部品（２）の先頭に位置するノズル（４）は、先端が閉じた円錐状となっていて、肛門鏡（１）の肛門管への挿入を容易にしている。
【００２３】
ソケット（８）は、幅広部品（７）の内側で、アトリウム（２３）の表面に配置される。ソケットの中に配置されるはずの舌部（９）は、前面部品（２）と背面部品（３）の間に存在する。結合しないときは分離している前面部品（２）と背面部品（３）との結合は、前面部品（２）が幅広部品（７）を通る移動によって確実なものとなる。前面部品（２）が幅広部品（７）と延長部（１７）とを通って移動された後、アトリウム（８）と舌部（９）との組み立て又は解体は、前面部品（２）又は背面部品（３）を回転させることで維持される。このように、肛門鏡（１）は、一体として、或いは、２つの別々の部品として使われ得る。
【００２４】
舌部（９）は、空洞（１０１）を通って前面部品（２）の内側のコンソール（２２）と、それ自身の軸線に対して９０度の角度を形成する小さい柱（２１）の両方を有している。柱とコンソールとは（２１、２２）、前面部品（２）を回転させる、或いは、前面部品（２）を取り出すのを助ける補助的な部品である。
【００２５】
本発明の他の実施形態では、握り（２４）がアトリウム（２３）の内側表面に見られる。ソケット（８）は握り（２４）に末尾を有している。
【００２６】
本発明の他の実施形態では、握り（２４）はアトリウム（２３）の外周の側面の部分に配置され得る。
【００２７】
前面部品（２）と背面部品（３）とが結合されるとき、肛門鏡（１）は、直腸に達するだけの充分な長さを有する。スライド蓋（５）が閉じられて、前面部品（２）のノズル（４）の上に潤滑剤溶液が塗布された後、肛門鏡（１）は、肛門管を通って前方へ動かされて直腸に挿入される（図１、２、３）。肛門鏡（１）が直腸へ挿入される間、背面部品（３）のハンドル（６）と幅広部品（７）とは、手動により前方へ動かされる。背面部品（３）の幅広部品（７）が肛門管に到達するとき、肛門鏡（１）は直腸に完全に挿入される。肛門鏡（１）には、前面部品（２）の本体（１４）上に、互いに所定距離だけ離れた縞模様が形成されている。その縞模様は、直腸内に入り込んでいる肛門鏡部分のセンチメートル単位の長さと、窓部（１１）が進行した距離とを決定するための目盛りとして機能する。肛門鏡（１）の内径は、外科的診療行為を施すのに充分な大きさを有する。
【００２８】
肛門鏡（１）は、照らされることができる透明な器具である。これらの特性のおかげで、確実に痔核をより良く検査できる。肛門鏡（１）は、３６０度の回転ができる。これにより、直腸のすべての四分円の中で外科的診療行為が可能である。前面部品（２）に対して末端側にある舌部（９）上の柱（２１）を押した後に、背面部品（３）の幅広部品（７）上のソケット（８）を回転させることによって、肛門鏡（１）の前面部品は取り外すことができる（図１）。空洞（１０１）に面したコンソール（２２）と離間するソケット（８）から取り外された舌部（９）を引くことによって、前面部品（２）と背面部品（３）とは互いに分離される。背面部品（３）の一部である筒状の延長部（１７）は、前面部品（２）が取り出された後も、直腸管内に留まる。延長部（１７）の内径は、どのような吻合器の金床も通過できる程度に充分に大きい。吻合器は、空洞（１０１）を通って挿入される。吻合器は背面部品（３）の内側にあるが、前面部品（２）にも接している。挿入の後、吻合器は、既に直腸内に配置され係止されている金床に取り付けられる。直腸粘膜が剥離され、吻合器の引き金を引くことによって、環状に吻合される。吻合器が取り外された後、前面部品（２）が空洞（１０１）を通って背面部品（３）内に挿入される。前面部品（２）に対して末端側にある舌部（９）が、背面部品（３）の幅広部品（７）上のソケット（８）に挿入されて係止される。前面部品（２）の蓋（５）は、そのとき、吻合された直腸粘膜を視認できるように開かれ得る。出血の場合には、この窓部（１１）を使って縫合することもできる。
【００２９】
肛門鏡（１）が肛門管内に挿入された後、直腸粘膜は、蓋（５）の開口部上に形成された窓部（１１）の開口部を通じて入る。最初の縫合は、その粘膜を貫通する糸を備えた針によって実行される。最初の縫合後、針は、再び、糸が貫通して現われた位置から少し前方の位置で直腸粘膜を通されて、縫合は継続される。それから、肛門鏡（１）は時計回りに回転されて、縫合は、再び、窓部（１１）を通じて入る直腸粘膜上で実行され、この方法で、縫合は、継続する。肛門鏡（１）を時計回りに３６０度回転させることで、縫合は、最初の縫合の開始位置まで前進する。開始位置に到達するときまで、巾着縫合は、それを完全に取り囲む直腸粘膜の周りに適用され、その結果、巾着縫合は、完了する。巾着縫合が完了した後、窓部（１１）を通じて入る粘膜は、指又は好適な道具の助けを借りて、窓部（１１）の開口部から押し出され、蓋（５）が糸を捕捉することなく粘膜を完全に押し出し、その結果、粘膜が窓部（１１）内で捕捉されることを防ぐように、蓋（５）は閉じられる。蓋（５）が粘膜を捕捉しないように閉じられた後に、ソケット（８）及び舌部（９）によって形成された係止機構の係止を解除するときに、直腸粘膜に損傷を与えることなく、前面部品（２）は、背面部品（３）から分離されることが可能である。
【００３０】
粘膜の重なり部に適用された巾着縫合が完了し、前面部品（２）が除去された後、背面部品（３）は肛門管の中に固定されたままである。この段階で、最初に、金床が背面部品（３）上に位置された延長部（１７）と巾着縫合とを通じて挿入され、巾着縫合は締められ結紮される。この延長部（１７）の内径は、この技術分野で周知のどのような吻合器の金床が通過できる幅を有する。それから、吻合器と金床とは接続されて、切除が意図された組織が締め付けられ、吻合器の引き金を引くとき、締め付けられた組織は、切除されて、切除された部分は吻合される。最後に、吻合器、切除組織、及び金床は、互いに接続された状態で除去される。
【００３１】
古典的な痔核手術における内痔核を外科的に取り除くために、肛門鏡（１）が直腸の中にあるとき、窓部（１１）が完全に開けられるまで、スライド蓋（５）は引かれる。このことにより、窓部の開口の大きさの痔核を除去し、外科的領域に縫合を施すことが可能となる。肛門鏡（１）を回転させて他の２つの痔核を取り除いた後に古典的な痔核手術は完了する。
【００３２】
空洞（１０）には充分な空間があるので、ペン型ランプや腹腔鏡を肛門鏡（１）のハンドル（６）に配置することができる。ハンドル（６）の縦軸は、肛門鏡（１）の前面部品（２）上のスライド蓋（５）に面している。その結果、ハンドル内に配置されたペン型ランプは、肛門鏡（１）の内部全体、特に、窓部（１１）の開口部を照らす。同様に、腹腔鏡をハンドル（６）内の空洞（１０）に配置することによって、窓部（１１）の場面の録画、外科的診療行為の録画が可能になる。
【００３３】
肛門鏡（１）の背面部品（３）がいまだに直腸内にある間、前面部品（２）に対して末端側にある舌部（９）は、柱（２１）を押すことによって係止を外し、背面部品（３）の幅広部品（７）の内側に位置しているアトリウム（２３）上のソケット（８）から除去され得る。その結果、背面部品（３）の内側で前面部品（２）は３６０度自由に回転でき、外科医は自由に動かすことができる。
【００３４】
発明の他の実施形態において、開くためにねじられる透明なキャップ（１８）は、幅広部品（７）と前面部品（２）とに近いハンドル（６）の先端に見える。仮にペン型ランプのような器具がハンドル（６）内に配置されたら、キャップ（１８）は、閉じる位置にあらねばならない。ランプ型ペンのような器具は、ハンドル（６）の背面にシャッター（２５）を配置して隔離される（図３）。その結果、無菌の外科的処置が保証される。仮に腹腔鏡がハンドル（６）内に配置されるなら、キャップ（１８）は開かれるか、或いは、完全に取り外されて、腹腔鏡はハンドル（６）内の空洞（１０）を通って所望の距離まで進められる。腹腔鏡の安定性は、腹腔鏡が所望の距離に到達するとき、肛門鏡（１）に対して末端側にあるハンドル（６）の先端に配置される接続要素（１３）によって確実にされる。
【産業上の利用可能性】
【００３５】
（発明の主題）
スライド蓋（５）が閉じられているとき、肛門鏡（１）は、ハンドル（６）を使って直腸内に容易に挿入できる。ハンドル（６）内へ腹腔鏡を配置することによって肛門鏡（１）の内部を照らすことは可能である。このことは、また、視野をモニターへ送って他の外科医と共に手術を視認することや、医学教育での更なる用途のために録画することが可能にする。肛門鏡（１）のスライド蓋（５）は所望の程度にまで開口できるので、多くの手続きが実行できる。視野と周辺の縫合を妨げないある程度の大きさの直腸粘膜は、蓋（５）を数ミリメートル開けることによって作られる窓部（１１）を通って入り込む。周辺の縫合は、肛門鏡（１）を３６０度回転させることで完了する。肛門鏡（１）の前面部品（２）が取り外されるとき、肛門鏡（１）のハンドル部分は肛門管の中に残される。この部分のおかげで吻合器の金床は移動でき、金床のハンドルは巾着抱合の尾部によって固定される。吻合器は同じ空間を通過し、金床に取り付けられる。吻合器が焼灼されるとき、粘膜の環が切られ、粘膜が環状に吻合されて、その結果、プロセスは完了する。以下に説明する痔核固定術を形成した吻合線は、スライド蓋（５）を要求された程度まで開くことによって確認できる。これにより、必要に応じて吻合線に外科的な診療行為を施すことが可能になる。
【００３６】
本発明の別の実施形態では、スライド蓋（５）が取り外されて、肛門鏡（１）の先端が完全に開く。これにより、外科医が窓部（１１）の大きさの痔核を除去し、それから、古典的な痔核の外科的処置の時間内にその傷を縫合することができる。続いて、肛門鏡（１）は、他の２つの痔核を除去するために回転させられる。そして、関連する傷を縫合して外科的処置を完了する。
【００３７】
本発明は、１回の使用の後廃棄されるディスポーザブルの肛門鏡（１）として製造され得る。その結果、発明は衛生的な特性を有している。
【００３８】
本発明を複数回使用することに適用するには、鉄鋼のように強い材料で製造されることを要する。
【００３９】
この基本概念の周辺には、本発明の主題：肛門鏡（１）の多くの異なった実施形態を作成することが可能である。本発明は主に請求の範囲の記載によって反映され、ここに記載の実施例には限定されない。
【図面の簡単な説明】
【００４０】
【図１】肛門鏡の前後の部品を分けて示す。
【図２】肛門鏡の他の実施形態の前後の部品を分けて示す。
【図３】肛門鏡の他の実施形態の前後の部品を分けて示す。
【図４】肛門鏡の他の実施形態の前後の部品を分けて示す。
【図５】上方から見た、スライド蓋が完全に開いた肛門鏡を示す。
【図６】側方から見た、スライド蓋が半分開いた肛門鏡を示す。
【図７】肛門鏡の全景である。
【図８】肛門鏡の蓋から分離された前面部品を示す。
【符号の説明】
【００４１】
１…肛門鏡、２…前面部品、３…背面部品、４…ノズル、５…蓋、６…ハンドル、７…幅広部品、８…ソケット、９…舌部、１０，１０１…空洞、１１…窓部、１２…突出部、１３…接続要素、１４…本体、１５…前方境界部、１６…前面先端部、１７…延長部、１８…キャップ、１９…前面部品のスライド線、２０…蓋のスライド線、２１…柱、２２…コンソール、２３…アトリウム、２４…握り、２５…シャッター
【図１】
0005329232.tif 000002
【図２】
0005329232.tif 000003
【図３】
0005329232.tif 000004
【図４】
0005329232.tif 000005
【図５】
0005329232.tif 000006
【図６】
0005329232.tif 000007
【図７】
0005329232.tif 000008
【図８】
0005329232.tif 000009